(57)【要約】【課題】銃弾を発射しない玩具銃が使用されるサバイバルゲームにおいて、プレイヤの被弾の有無を判定する。【解決手段】発射部(102)は、玩具銃(100)による擬似的な発砲に連動して指向性を有する光線(L)を発射する。検出部(104)が、受光部(103)に別のプレイヤに装備されている別の発射部(102)からの光線(L)が命中したことを検出すると、通知部(105)は、被弾を通知するための光および音のうち少なくとも一方を出力し、送信部(106)は、格納部(101)に格納されている装備ＩＤを送信する。管理装置(21)は、各プレイヤ(P)と装備ＩＤとの対応関係を示した管理テーブル(D300)を有し、装備品セット(10)の送信部(106)からの装備ＩＤと管理テーブル(D300)とに基づいて、各プレイヤについて被弾の有無を判定する。【選択図】図１１
2013236765.tif 000002
【特許請求の範囲】
【請求項１】
擬似的な銃撃戦が実施されるサバイバルゲームの運営を支援するシステムであって、
上記サバイバルゲームに参戦する各プレイヤに装備される装備品セットと、
管理装置とを備え、
上記装備品セットは、
当該装備品セットに割り当てられた装備ＩＤを格納する格納部と、
当該プレイヤによる操作に応答して火薬を発火させることにより実銃による発砲を擬似的に再現する玩具銃と、
上記玩具銃による擬似的な発砲に連動して指向性を有する光線を発射する発射部と、
別のプレイヤに装備されている別の発射部からの光線を受光する受光部と、
上記受光部に上記別の発射部からの光線が命中したことを検出する検出部と、
上記検出部によって上記受光部における命中が検出されると、被弾を通知するための光および音のうち少なくとも一方を出力する通知部と、
上記検出部によって上記受光部における命中が検出されると、上記格納部に格納されている装備ＩＤを送信する送信部とを含み、
上記管理装置は、各プレイヤと当該プレイヤに装備されている装備品セットに割り当てられた装備ＩＤとの対応関係を示した管理テーブルを有し、上記送信部からの装備ＩＤと上記管理テーブルとに基づいて、各プレイヤについて被弾の有無を判定するように構成されている
ことを特徴するサバイバルゲーム運営支援システム。
【請求項２】
請求項１において、
上記発射部は、上記玩具銃の擬似的な発砲に連動して上記光線を発射する際に、上記格納部に格納されている装備ＩＤに基づいて上記光線を変調するように構成され、
上記検出部は、上記受光部に命中した上記別の発射部からの光線から、上記別のプレイヤに装備されている別の装備品セットに割り当てられた別の装備ＩＤを検出するように構成され、
上記格納部は、当該格納部を含む装備品セットに割り当てられた装備ＩＤを格納するとともに、上記検出部によって検出された別の装備ＩＤを受信ＩＤとして格納するように構成されている
ことを特徴とするサバイバルゲーム運営支援システム。
【請求項３】
請求項２において、
上記送信部は、上記格納部に格納されている装備ＩＤおよび受信ＩＤを送信するように構成され、
上記管理装置は、上記送信部からの装備ＩＤおよび受信ＩＤと上記管理テーブルとに基づいて、各プレイヤを撃破した別のプレイヤを示した被撃情報，各プレイヤが撃破した別のプレイヤを示した撃破情報，および各プレイヤが撃破した別のプレイヤの人数を示した撃破数情報のうち少なくとも１つを管理するように構成されている
ことを特徴とするサバイバルゲーム運営支援システム。
【請求項４】
請求項１〜３のいずれか１項において、
上記発射部は、
上記玩具銃が上記火薬を発火させるための機械的動作を実行したことを検知する第１の検知器と、
上記玩具銃において発生した音を検知する第２の検知器と、
上記第１の検知器によって上記機械的動作の実行が検知され、且つ、上記第２の検知器によって検知された音が上記玩具銃の発砲音であると判定した場合に、上記光線を発射する発信部とを備えている
ことを特徴とするサバイバルゲーム運営支援システム。
【請求項５】
請求項１〜４のいずれか１項において、
上記発射部から発光される光線の照射範囲および照射距離は、上記玩具銃の種類に応じて設定されている
ことを特徴とするサバイバルゲーム運営支援システム。
【請求項６】
請求項１〜５のいずれか１項において、
上記火薬の発火によって発生する音の大きさは、上記玩具銃の種類に応じて設定されている
ことを特徴とするサバイバルゲーム運営支援システム。
【請求項７】
擬似的な銃撃戦が実施されるサバイバルゲームに参戦する各プレイヤに装備される装備品セットであって、
当該装備品セットに割り当てられた装備ＩＤを格納する格納部と、
当該プレイヤによる操作に応答して火薬を発火させることにより実銃による発砲を擬似的に再現する玩具銃と、
上記玩具銃による擬似的な発砲に連動して指向性を有する光線を発射する発射部と、
別のプレイヤに装備されている別の発射部からの光線を受光する受光部と、
上記受光部に上記別の発射部からの光線が命中したことを検出する検出部と、
上記検出部によって上記受光部における命中が検出されると、被弾を通知するための光および音のうち少なくとも一方を出力する通知部とを備えている
ことを特徴とするサバイバルゲーム用装備品セット。
【請求項８】
擬似的な銃撃戦が実施されるサバイバルゲームに参戦する各プレイヤに、当該プレイヤによる操作に応答して火薬を発火させることにより実銃による発砲を擬似的に再現する玩具銃とともに装備される装備品セットであって、
当該装備品セットに割り当てられた装備ＩＤを格納する格納部と、
上記玩具銃に取付可能に構成され、当該玩具銃による擬似的な発砲に連動して指向性を有する光線を発射する発射部と、
別のプレイヤに装備されている別の発射部からの光線を受光する受光部と、
上記受光部に上記別の発射部からの光線が命中したことを検出する検出部と、
上記検出部によって上記受光部における命中が検出されると、被弾を通知するための光および音のうち少なくとも一方を出力する通知部とを備えている
ことを特徴とするサバイバルゲーム用装備品セット。
【発明の詳細な説明】
【技術分野】
【０００１】
この発明は、擬似的な銃撃戦が実施されるサバイバルゲームの運営を支援するためのシステム、および上記サバイバルゲームにおいて使用される装備品セットに関し、さらに詳しくは、プレイヤの被弾の有無を判定する技術に関する。
【背景技術】
【０００２】
従来より、ＢＢ弾のような銃弾を発射する玩具銃（エアガン）を使用して銃撃戦を擬似的に実施するサバイバルゲームが知られている。このようなサバイバルゲームでは、玩具銃から発射された銃弾がプレイヤに命中したかどうかを判定することが困難である。そこで、特許文献１に記載のサバイバルゲームでは、標的部（ボード）を有する装備品（ベスト，ヘルメット，グローブなど）をサバイバルゲームのプレイヤに装備させ、玩具銃から発射された銃弾が標的部に命中したときに発生する衝撃に基づいて、プレイヤの被弾の有無を判定している。
【先行技術文献】
【特許文献】
【０００３】
【特許文献１】特開２００５−１１０７４３号公報
【発明の概要】
【発明が解決しようとする課題】
【０００４】
また、上記のようなサバイバルゲームにおいて、銃弾を発射する玩具銃（エアガン）の代わりに、銃弾を発射しない玩具銃（モデルガン）を使用することが考えられている。このような玩具銃（モデルガン）は、プレイヤによる操作（例えば、引き金を引く操作）に応答して火薬を発火させることにより、実銃による発砲音を疑似的に発生させ、実銃による発砲を擬似的に再現している。
【０００５】
しかしながら、サバイバルゲームにおいて銃弾を発射しない玩具銃を使用する場合、玩具銃によって実銃による発砲が擬似的に再現されたとしても、玩具銃から銃弾が発射されないので、プレイヤの被弾の有無を判定することが非常に困難である。
【０００６】
そこで、この発明は、銃弾を発射しない玩具銃が使用されるサバイバルゲームにおいてプレイヤの被弾の有無を判定することができるシステムおよび装備品セットを提供することを目的とする。
【課題を解決するための手段】
【０００７】
この発明の１つの局面に従うと、サバイバルゲーム運営支援システムは、擬似的な銃撃戦が実施されるサバイバルゲームの運営を支援するシステムであって、上記サバイバルゲームに参戦する各プレイヤに装備される装備品セットと、管理装置とを備え、上記装備品セットは、当該装備品セットに割り当てられた装備ＩＤを格納する格納部と、当該プレイヤによる操作に応答して火薬を発火させることにより実銃による発砲を擬似的に再現する玩具銃と、上記玩具銃による擬似的な発砲に連動して指向性を有する光線を発射する発射部と、別のプレイヤに装備されている別の発射部からの光線を受光する受光部と、上記受光部に上記別の発射部からの光線が命中したことを検出する検出部と、上記検出部によって上記受光部における命中が検出されると、被弾を通知するための光および音のうち少なくとも一方を出力する通知部と、上記検出部によって上記受光部における命中が検出されると、上記格納部に格納されている装備ＩＤを送信する送信部とを含み、上記管理装置は、各プレイヤと当該プレイヤに装備されている装備品セットに割り当てられた装備ＩＤとの対応関係を示した管理テーブルを有し、上記送信部からの装備ＩＤと上記管理テーブルとに基づいて、各プレイヤについて被弾の有無を判定するように構成されている。
【０００８】
上記サバイバルゲーム運営支援システムでは、プレイヤに装備されている受光部に別のプレイヤに装備されている別の発射部からの光線Lが命中すると、光線が命中したプレイヤ（被弾プレイヤ）に装備されている通知部から、被弾を通知するための光および音のうち少なくとも一方が出力される。これにより、被弾プレイヤ自身および被弾プレイヤの周囲のプレイヤに、被弾プレイヤが被弾したことを通知することができる。このように、銃弾を発射しない玩具銃が使用されるサバイバルゲームにおいて、プレイヤの被弾の有無を判定することができる。また、管理装置によって各プレイヤの被弾の有無を判定することにより、サバイバルゲームの対戦成績を管理することができる。これにより、サバイバルゲームの競技性を向上させることができる。
【０００９】
なお、上記サバイバルゲーム支援システムにおいて、上記発射部は、上記玩具銃の擬似的な発砲に連動して上記光線を発射する際に、上記格納部に格納されている装備ＩＤに基づいて上記光線を変調するように構成され、上記検出部は、上記受光部に命中した上記別の発射部からの光線から、上記別のプレイヤに装備されている別の装備品セットに割り当てられた別の装備ＩＤを検出するように構成され、上記格納部は、当該格納部を含む装備品セットに割り当てられた装備ＩＤを格納するとともに、上記検出部によって検出された別の装備ＩＤを受信ＩＤとして格納するように構成されていても良い。
【００１０】
上記サバイバルゲーム運営支援システムでは、検出部によって検出された別の装備ＩＤを受信ＩＤとして格納部に格納することにより、被弾プレイヤがどのプレイヤに撃破されたのかを示した履歴を残すことができる。これにより、サバイバルゲームの競技性をさらに向上させることができる。
【００１１】
また、上記サバイバルゲーム運営支援システムにおいて、上記送信部は、上記格納部に格納されている装備ＩＤおよび受信ＩＤを送信するように構成され、上記管理装置は、上記送信部からの装備ＩＤおよび受信ＩＤと上記管理テーブルとに基づいて、各プレイヤを撃破した別のプレイヤを示した被撃情報，各プレイヤが撃破した別のプレイヤを示した撃破情報，および各プレイヤが撃破した別のプレイヤの人数を示した撃破数情報のうち少なくとも１つを管理するように構成されていても良い。
【００１２】
上記サバイバルゲーム運営支援システムでは、管理装置によって被撃情報，撃破情報，および撃破数情報のうち少なくとも１つを管理することにより、サバイバルゲームの競技性をさらに向上させることができる。
【００１３】
なお、上記サバイバルゲーム運営支援システムにおいて、上記発射部は、上記玩具銃が上記火薬を発火させるための機械的動作を実行したことを検知する第１の検知器と、上記玩具銃において発生した音を検知する第２の検知器と、上記第１の検知器によって上記機械的動作の実行が検知され、且つ、上記第２の検知器によって検知された音が上記玩具銃の発砲音であると判定した場合に、上記光線を発射する発信部とを備えていても良い。
【００１４】
上記サバイバルゲーム運営支援システムでは、第１の検知器による検知結果（玩具銃による機械的動作に関する検知結果）および第２の検知器による検知結果（玩具銃において発生した音に関する検知結果）の両方に基づいて、光線の発射の要否を判定することにより、光線の誤射の可能性を低減することができる。
【００１５】
また、上記サバイバルゲーム運営支援システムにおいて、上記発射部から発光される光線の照射範囲および照射距離は、上記玩具銃の種類に応じて設定されていても良い。
【００１６】
上記サバイバルゲーム運営支援システムでは、玩具銃の疑似的な発射性能を実銃の発射性能に近づけることができるので、玩具銃による実銃の再現性を向上させることができる。これにより、サバイバルゲームの再現性および競技性を向上させることができる。
【００１７】
また、上記サバイバルゲーム運営支援システムにおいて、上記火薬の発火によって発生する音の大きさは、上記玩具銃の種類に応じて設定されていても良い。
【００１８】
上記サバイバルゲーム運営支援システムでは、玩具銃による疑似的な発砲を実銃による発砲に近づけることができるので、玩具銃による実銃の再現性を向上させることができる。これにより、サバイバルゲームの再現性および競技性を向上させることができる。
【００１９】
この発明の別の局面に従うと、サバイバルゲーム用装備品セットは、擬似的な銃撃戦が実施されるサバイバルゲームに参戦する各プレイヤに装備される装備品セットであって、当該装備品セットに割り当てられた装備ＩＤを格納する格納部と、当該プレイヤによる操作に応答して火薬を発火させることにより実銃による発砲を擬似的に再現する玩具銃と、上記玩具銃による擬似的な発砲に連動して指向性を有する光線を発射する発射部と、別のプレイヤに装備されている別の発射部からの光線を受光する受光部と、上記受光部に上記別の発射部からの光線が命中したことを検出する検出部と、上記検出部によって上記受光部における命中が検出されると、被弾を通知するための光および音のうち少なくとも一方を出力する通知部とを備えている。
【００２０】
上記サバイバルゲーム用装備品セットでは、光線が命中したプレイヤ（被弾プレイヤ）に装備されている通知部によって、被弾を通知するための光および音のうち少なくとも一方が出力される。これにより、被弾プレイヤ自身および被弾プレイヤの周囲のプレイヤに、被弾プレイヤが被弾したことを通知することができる。
【００２１】
この発明のさらに別の局面に従うと、サバイバルゲーム用装備品セットは、擬似的な銃撃戦が実施されるサバイバルゲームに参戦する各プレイヤに、当該プレイヤによる操作に応答して火薬を発火させることにより実銃による発砲を擬似的に再現する玩具銃とともに装備される装備品セットであって、当該装備品セットに割り当てられた装備ＩＤを格納する格納部と、上記玩具銃に取付可能に構成され、当該玩具銃による擬似的な発砲に連動して指向性を有する光線を発射する発射部と、別のプレイヤに装備されている別の発射部からの光線を受光する受光部と、上記受光部に上記別の発射部からの光線が命中したことを検出する検出部と、上記検出部によって上記受光部における命中が検出されると、被弾を通知するための光および音のうち少なくとも一方を出力する通知部とを備えている。
【００２２】
上記サバイバルゲーム用装備品セットでは、光線が命中したプレイヤ（被弾プレイヤ）に装備されている通知部によって、被弾を通知するための光および音のうち少なくとも一方が出力される。これにより、被弾プレイヤ自身および被弾プレイヤの周囲のプレイヤに、被弾プレイヤが被弾したことを通知することができる。また、発射部を玩具銃に取付可能に構成することにより、既存の玩具銃を改造せずに玩具銃による疑似的な発砲に連動して光線を発射させることができるので、玩具銃の製造コストを低減することができる。
【発明の効果】
【００２３】
以上のように、被弾プレイヤ自身および被弾プレイヤの周囲のプレイヤに、被弾プレイヤが被弾したことを通知することができるので、銃弾を発射しない玩具銃が使用されるサバイバルゲームにおいて、プレイヤの被弾の有無を判定することができる。
【００２４】
また、管理装置によってサバイバルゲームの対戦成績を管理することができるので、サバイバルゲームの競技性を向上させることができる。
【図面の簡単な説明】
【００２５】
【図１】サバイバルゲーム運営支援システムが適用されるサバイバルゲーム施設について説明するためのブロック図。
【図２】装備品セットの構成例について説明するための概略図。
【図３】装備品セットの構成例について説明するためのブロック図。
【図４】会員管理テーブルについて説明するための図。
【図５】プレイヤ管理テーブルについて説明するための図。
【図６】エントリ管理テーブルについて説明するための図。
【図７】集計結果管理テーブルについて説明するための図。
【図８】エントランス室において実施される手続について説明するための概略図。
【図９】ラウンジ室において実施される手続について説明するための概略図。
【図１０】連絡通路室において実施される手続について説明するための概略図。
【図１１】フィールド室において実施されるサバイバルゲームについて説明するための概略図。
【図１２】戦績処理端末のディスプレイに表示される戦績結果画像の一例を示す図。
【図１３】玩具銃による機械的動作について説明するための図。
【図１４】発射部による発射処理について説明するためのフローチャート。
【図１５】発射部による発射処理の変形例について説明するためのフローチャート。
【図１６】玩具銃の種類について説明するための概略図。
【発明を実施するための形態】
【００２６】
以下、この発明の実施の形態を図面を参照して詳しく説明する。なお、図中同一または相当部分には同一の符号を付しその説明は繰り返さない。
【００２７】
（サバイバルゲーム施設）
図１は、サバイバルゲーム施設300の構成を示している。サバイバルゲーム施設300は、擬似的な銃撃戦が実施されるサバイバルゲームを提供している遊戯施設である。サバイバルゲーム施設300には、管理室30と、エントランス室31と、ラウンジ室32と、連絡通路室33と、フィールド室34が設けられている。
【００２８】
〔エントランス室〕
エントランス室31は、サバイバルゲーム施設300の出入口に相当する空間である。エントランス室31には、プレイヤ登録端末301が設置されている。エントランス室31では、利用者を会員として登録するための手続（会員登録手続），会員に装備品セット10を割り当てるとともに会員をプレイヤPとして登録するための手続（プレイヤ登録手続），会員のプレイヤ登録を解除するための手続（プレイヤ解除手続）などが実施される。サバイバルゲーム施設300の会員は、エントランス室31においてプレイヤ登録手続を済ませた後に、プレイヤPとしてラウンジ室32に入室する。プレイヤPは、自身に割り当てられた装備品セット10を装備してサバイバルゲームに参戦することになる。
【００２９】
〔ラウンジ室〕
ラウンジ室32は、プレイヤPを待機させるための空間である。ラウンジ室32には、エントリ登録端末302と、ディスプレイ303と、スピーカ304と、戦績処理端末305とが設置されている。ラウンジ室32では、サバイバルゲームへの参戦を申し込むための手続（エントリ登録手続），サバイバルゲームの対戦成績（戦績）を集計するための手続（戦績集計手続），サバイバルゲームの対戦成績（戦績）を確認するための手続（戦績確認手続）などが実施される。プレイヤPは、ラウンジ室32においてエントリ登録手続を済ませた後に、連絡通路室33に入室する。
【００３０】
〔連絡通路室〕
連絡通路室33は、ラウンジ室32とフィールド室34とを連絡している空間である。連絡通路室33には、プレイヤ確認端末306が設置されている。連絡通路室33では、プレイヤPのフィールド室34への入室の可否を判定するための手続（プレイヤ確認手続）などが実施される。プレイヤPは、連絡通路室33においてプレイヤ確認手続を済ませた後に、フィールド室34に入室する。
【００３１】
〔フィールド室〕
フィールド室34は、サバイバルゲームが実施される空間である。フィールド室34には、受信機307と、スピーカ308とが設置されている。サバイバルゲームが終了すると、プレイヤPは、フィールド室34から退室し、連絡通路室33を通過してラウンジ室32に入室する。
【００３２】
〔管理室〕
管理室30は、サバイバルゲーム施設300の全体を制御するための管理装置20が設置される空間である。ここでは、管理装置20は、サーバ201と、データベース202とによって構成されている。サーバ201は、データベース202に格納されている各種テーブルを参照して、各室に設置されている各機器を制御するように構成されている。
【００３３】
（サバイバルゲーム運営支援システム）
上記のように、サバイバルゲーム施設300では、プレイヤP,P,…に装備品セット10,10,…を割り当てるとともに、各室に設置されている各機器を管理装置20に制御させることにより、サバイバルゲームの運営を支援するためのシステム（サバイバルゲーム運営支援システム）を構築している。すなわち、サバイバルゲーム運営支援システムは、装備品セット10,10,…と、管理装置20とを備えていることになる。
【００３４】
〔装備品セット〕
次に、図２を参照して、装備品セット10について説明する。装備品セット10は、玩具銃11と、ゴーグル12と、コントロールボックス13とを含んでいる。玩具銃11（より具体的には、玩具銃11の銃身の先端部）には、光線発射器110が取り付けられている。光線発射器110は、玩具銃11（より具体的には、玩具銃11の銃身の先端部）に取付可能に構成され、光線発射器110には、発射部102が内蔵されている。すなわち、発射部102は、玩具銃11に取付可能に構成されている（玩具銃11に取り付けることができるように構成されている）。
【００３５】
〈玩具銃〉
玩具銃11は、銃弾を発射しないタイプの玩具銃（モデルガン）であり、プレイヤPの手に持たれて操作される。より具体的には、玩具銃11は、プレイヤPによる操作に応答して、火薬を発火させるための機械的動作を実行するように構成されている。例えば、玩具銃11がオートローダタイプ（自動装填式）である場合、プレイヤPが玩具銃11の引き金を引くと、玩具銃11の撃鉄が作動して玩具銃11の銃身内に装填されているカートリッジに衝突し、その衝突による圧力によってカートリッジ内に充填された火薬が発火する。このような機械的動作によって火薬が発火すると、実銃による発砲音が疑似的に発生する。このように、玩具銃11は、プレイヤPによる操作に応答して火薬を発火させることにより、実銃による発砲を擬似的に再現している。玩具銃11については、後で詳しく説明する。
【００３６】
〈ゴーグル〉
ゴーグル12は、プレイヤPの頭部に装備される。ゴーグル12の左右方向の両端部には、受光部103,103が設けられている。また、ゴーグル12の上下方向の上側端部には、発光部105a（通知部105の一部）が設けられている。
【００３７】
〈コントロールボックス〉
コントロールボックス13は、ベルトなどに固定されてプレイヤPに装備される。また、コントロールボックス13は、ケーブル14によって光線発射器110の発射部102に接続されるとともに、ケーブル15によってゴーグル12の受光部103,103および発光部105aに接続されている。コントロールボックス13には、格納部101と、検出部104と、発音部105b（通知部105の一部）と、送信部106とが内蔵されている。
【００３８】
〔装備品セットの詳細〕
次に、図３を参照して、装備品セット10のについて詳細に説明する。上述のように、装備品セット10は、格納部101と、発射部102と、受光部103と、検出部104と、通知部105と、送信部106とを含んでいる。ここでは、通知部105は、発光部105aおよび発音部105bによって構成されている。また、説明の便宜上、装備品セット10が１個の受光部103を含んでいる場合を例に挙げて説明する。
【００３９】
〈格納部〉
格納部101は、装備ＩＤを格納している。装備ＩＤは、装備品セット10に割り当てられた識別ＩＤである。すなわち、装備品セット10毎に異なる装備ＩＤが割り当てられている。また、格納部101は、受信ＩＤ（別の装備品セット10に割り当てられた装備ＩＤ）を格納できるように構成されている。例えば、格納部101は、不揮発性メモリなどによって構成されている。なお、受信ＩＤについては、後で詳しく説明する。
【００４０】
〈発射部〉
発射部102は、玩具銃11による擬似的な発砲に連動して、指向性を有する光線L（例えば、赤外線や可視レーザなど）を発射する。また、発射部102は、玩具銃11による擬似的な発砲に連動して光線Lを発射する際に、格納部101に格納されている装備ＩＤに基づいて光線Lを変調する。これにより、装備ＩＤを光線Lとして発信することができる。ここでは、発射部102は、センサ111,112および発信部113によって構成されている。なお、発射部102については、後で詳しく説明する。
【００４１】
〈受光部〉
受光部103は、別のプレイヤPに装備されている別の装備品セット10の発射部102（別の発射部102）からの光線Lを受光する。例えば、受光部103は、光線Lを電気信号に変換する受光器などによって構成されている。
【００４２】
〈検出部〉
検出部104は、受光部103に別の発射部102からの光線Lが命中したことを検出する。例えば、検出部104は、受光部103によって受光された光線Lから特定のパターン（例えば、装備ＩＤ）を検出することができた場合に、受光部103に別の発射部102からの光線Lが命中したと判定する。また、検出部104は、受光部103に命中した光線L（別の発射部102からの光線L）から、別のプレイヤPに装備されている別の装備品セット10に割り当てられた別の装備ＩＤを検出する。検出部104によって検出された別の装備ＩＤは、受信ＩＤとして格納部101に格納される。例えば、検出部104は、受光部103からの電気信号に基づいて復調処理（装備ＩＤを復調する処理）を実行する復調器やマイクロコンピュータなどによって構成されている。
【００４３】
また、格納部101は、最新の受信ＩＤを判別できるように１個または複数個の受信ＩＤを格納している。例えば、格納部101は、検出部104によって検出された順番に並べて受信ＩＤを格納している。
【００４４】
〈通知部〉
発光部105aおよび発音部105b（通知部105）は、検出部104によって受光部103における命中（受光部103に光線Lが命中したこと）が検出されると、被弾を通知するための光および音をそれぞれ出力する。例えば、発光部105aは、電気信号を光に変換するＬＥＤ（Light Emitting Diode）などによって構成され、発音部105bは、電気信号を音に変換する小型スピーカなどによって構成されている。
【００４５】
〈送信部〉
送信部106は、検出部104によって受光部103における命中が検出されると、格納部101に格納されている装備ＩＤを送信する。より具体的には、送信部106は、格納部101に格納された装備ＩＤに基づいて電波を変調することにより、装備ＩＤを電波として送信する。また、送信部106は、外部（例えば、サーバ201）からの要求に応答して、格納部101に格納されている装備ＩＤ（または、装備ＩＤおよび受信ＩＤ）を送信する。さらに、送信部106は、格納部101に格納されている装備ＩＤと受信ＩＤとを対応付けて送信すると、格納部101に格納されている受信ＩＤを消去する。例えば、送信部106は、電波を送受信可能な無線アンテナや装備ＩＤ（または、装備ＩＤと受信ＩＤ）に基づいて電波を変調する変調器などによって構成されている。
【００４６】
〔サバイバルゲームのルール〕
ここで、サバイバルゲーム施設300（特に、フィールド室34）において実施されるサバイバルゲームのルールについて説明する。サバイバルゲーム施設300では、玩具銃11から銃弾が発射されない代わりに、プレイヤPによる玩具銃11の操作に連動して発射部102から光線Lが発射される。すなわち、プレイヤP,P,…は、銃弾の代わりに光線Lを撃ち合うことになる。そして、プレイヤPに別のプレイヤPから発射された光線Lが命中すると（より具体的には、プレイヤPに装備されている受光部103に別のプレイヤPに装備されている発射部102からの光線Lが命中すると）、そのプレイヤPは「被弾」とみなされて失格となる。失格となったプレイヤPは、フィールド室34から退室することになる。
【００４７】
なお、以下の説明では、プレイヤPが別のプレイヤPから発射された光線Lに命中して失格になることを「被弾」または「被撃」と表記し、プレイヤPが別のプレイヤPに光線Lを命中させて別のプレイヤPを失格にすることを「撃破」を表記する。
【００４８】
〔サバイバルゲームの勝敗条件〕
次に、サバイバルゲームの勝敗条件について説明する。サバイバルゲーム施設300では、複数のプレイヤP,P,…が複数のチームに分かれてサバイバルゲーム（擬似的な銃撃戦）を実施している。また、サバイバルゲームには、制限時間が設定されている。このように、複数のプレイヤP,P,…は、複数のチームに分かれて、サバイバルゲームの制限時間内で勝敗を競うことになる。
【００４９】
〈敗北条件〉
サバイバルゲームの終了前に、同一チームに所属しているプレイヤP,P,…の全員が失格となると、そのチームは「全滅」とみなされ、そのチームに所属しているプレイヤP,P,…は「敗北」したことになる。
【００５０】
〈勝利条件〉
サバイバルゲームの終了時において、同一チームに所属しているプレイヤP,P,…のうち少なくとも１人が失格とならずに残っていると、そのチームは「勝利」とみなされ、そのチームに所属しているプレイヤP,P,…は「勝利」したことになる。
【００５１】
また、サバイバルゲームの終了前に、サバイバルゲームに参戦している複数のチームのうち１つのチームを残して他のチームが「全滅」となると、その残っているチームは「勝利」とみなされ、その残っているチームに所属しているプレイヤP,P,…は「勝利」したことになる。
【００５２】
〔データベース〕
次に、管理装置20を構成しているデータベース202について説明する。データベース202は、会員管理テーブルD100と、プレイヤ管理テーブルD200と、エントリ管理テーブルD300と、集計結果管理テーブルD400とを格納している。
【００５３】
〈会員管理テーブル〉
図４は、会員管理テーブルD100の一例を示している。会員管理テーブルD100には、会員ＩＤ，表示名，個人情報，および戦績情報（累計）が対応付けられて登録されている。
【００５４】
会員ＩＤは、サバイバルゲーム施設300の会員に割り当てられる識別ＩＤを示している。すなわち、会員毎に異なる会員ＩＤが割り当てられている。表示名は、サバイバルゲーム施設300における各手続において各機器（例えば、ディスプレイ303）の表示画面に表示される名称を示している。例えば、会員のニックネームが表示名として登録されている。個人情報は、会員に関する個人情報（氏名，住所，性別，年齢など）である。
【００５５】
戦績情報（累計）は、会員登録手続の完了後から現時点に至るまでの期間におけるサバイバルゲームの対戦成績に関する情報である。ここでは、戦績情報（累計）は、チーム戦績情報（累計）と、個人戦績情報（累計）とを含んでいる。
【００５６】
チーム戦績情報（累計）は、参戦数（累計），勝利数（累計），敗北数（累計），および勝率（累計）を含んでいる。参戦数（累計）は、会員（プレイヤP）がサバイバルゲームに参戦した回数の累計値（会員登録手続の完了後から現時点に至るまでの期間における累積値、以下同様）を示している。勝利数（累計）は、会員（プレイヤP）がサバイバルゲームに参戦して勝利した回数の累計値を示している。敗北数（累計）は、会員（プレイヤP）がサバイバルゲームに参戦して敗北した回数の累計値を示している。勝率（累計）は、参戦数（累計）に対する勝利数（累計）の割合を示している。
【００５７】
個人戦績情報（累計）は、撃破数（累計）および順位（累計）を含んでいる。撃破数（累計）は、会員（プレイヤP）が撃破した別の会員（別のプレイヤP）の人数（延べ人数）の累計値を示している。順位（累計）は、撃破数（累計）の順位を示している。
【００５８】
〈プレイヤ管理テーブル〉
図５は、プレイヤ管理テーブルD200の一例を示している。プレイヤ管理テーブルD200には、会員ＩＤ，装備ＩＤ，表示名，およびチーム戦績情報（小計）が対応付けられて登録されている。
【００５９】
チーム戦績情報（小計）は、プレイヤ登録手続の完了後から現時点に至るまでの期間におけるサバイバルゲームの対戦成績（主に、チーム戦績）に関する情報である。ここでは、チーム戦績情報（小計）は、参戦数（小計），勝利数（小計），敗北数（小計），および勝率（小計）を含んでいる。参戦数（小計）は、会員（プレイヤP）がサバイバルゲームに参戦した回数の小計値（プレイヤ登録手続の完了後から現時点に至るまでの期間における累積値、以下同様）を示している。勝利数（小計）は、会員（プレイヤP）がサバイバルゲームに参戦して勝利した回数の小計値を示している。敗北数（小計）は、会員（プレイヤP）がサバイバルゲームに参戦して敗北した回数の小計値を示している。勝率（小計）は、参戦数（小計）に対する勝利数（小計）の割合を示している。
【００６０】
〈エントリ管理テーブル〉
図６は、エントリ管理テーブルD300の一例を示している。エントリ管理テーブルD300には、会員ＩＤ，装備ＩＤ，表示名，チーム名，および生存情報が対応付けられて登録されている。
【００６１】
チーム名は、サバイバルゲームにおいて会員（プレイヤP）が所属しているチームの名称を示している。生存情報は、サバイバルゲームにおいて会員（プレイヤP）が失格となっているか否かを示す情報である。ここでは、会員（プレイヤP）が失格となっていない状態を「ＡＬＩＶＥ」と表記し、会員（プレイヤP）が失格となっている状態を「ＤＥＡＤ」と表記している。
【００６２】
〈集計結果管理テーブル〉
図７は、集計結果管理テーブルD400の一例を示している。集計結果管理テーブルD400には、被撃ＩＤ，個人戦績情報（小計），被撃情報，および撃破情報が対応付けられて登録されている。
【００６３】
被撃ＩＤは、前回のサバイバルゲームにおいて会員を撃破した会員（プレイヤP）の会員ＩＤを示している。例えば、図７の場合、「0001」を示す会員ＩＤが割り当てられている会員（プレイヤP）は、前回のサバイバルゲームにおいて「0007」を示す会員ＩＤが割り当てられている会員（プレイヤP）に撃破されていることになる。
【００６４】
個人戦績情報（小計）は、プレイヤ登録手続の完了後から現時点に至るまでの期間におけるサバイバルゲームの対戦成績（主に、個人戦績）に関する情報である。ここでは、個人戦績情報（小計）は、撃破数（小計）および順位（小計）を含んでいる。撃破数（小計）は、会員（プレイヤP）が撃破した別の会員（別のプレイヤP）の人数（延べ人数）の小計値を示している。順位（小計）は、撃破数（小計）の順位を示している。
【００６５】
被撃情報は、会員（プレイヤP）を撃破した別の会員（別のプレイヤP）の会員ＩＤと、その被撃回数（会員が別の会員によって撃破された回数）とを示している。例えば、図７の場合、「0001」を示す会員ＩＤが割り当てられている会員（プレイヤP）は、「0007」を示す会員ＩＤが割り当てられている会員（プレイヤP）に「５回」撃破されていることになる。
【００６６】
撃破情報は、会員（プレイヤP）が撃破した別の会員（別のプレイヤP）の会員ＩＤと、その撃破回数（会員が別の会員を撃破した回数）とを示している。例えば、図７の場合、「0001」を示す会員ＩＤが割り当てられている会員（プレイヤP）は、「0003」を示す会員ＩＤが割り当てられている会員（プレイヤP）を「１０回」撃破し、「0004」を示す会員ＩＤが割り当てられている会員（プレイヤP）を「１０回」撃破していることになる。
【００６７】
〔会員登録手続〕
次に、エントランス室31において実施される会員登録手続について説明する。会員登録手続では、データベース202の会員管理テーブルD100（図４）が更新される。
【００６８】
サバイバルゲーム施設300の利用者（会員登録手続を済ませていない利用者）は、自身の個人情報および自身が希望する表示名を、サバイバルゲーム施設300の従業員に提出する。サバイバルゲーム施設300の従業員は、利用者から提出された個人情報および表示名をサーバ201に入力する。
【００６９】
〈会員管理テーブルの更新〉
サーバ201は、操作者（サバイバルゲーム施設300の従業員）による操作に応答して、会員登録手続を実施している利用者に、新たな会員ＩＤ（どの利用者にも割り当てられていない会員ＩＤ）を割り当てる。そして、サーバ201は、会員登録手続を実施している利用者に割り当てられた会員ＩＤと、その利用者の表示名および個人情報と、初期値（ゼロ）に設定された戦績情報（累計）とを対応付けて、会員管理テーブルD100に登録する。また、サーバ201は、会員登録手続を実施している利用者に割り当てられた会員ＩＤを記憶している会員証100（ＩＣチップが埋め込まれた会員証）をカード発行機（図示省略）に発行させる。そして、会員登録手続を実施している利用者に、会員証100が配布される。なお、利用者に個人情報および表示名を入力させて会員証100を発行する自動発行機をエントランス室31に設置しても良い。
【００７０】
このようにして、会員登録手続を実施している利用者の情報（会員ＩＤ，表示名，個人情報，および戦績情報（累計））が会員管理テーブルD100に登録されることにより、その利用者がサバイバルゲーム施設300の会員として登録され、会員登録手続が完了する。会員登録手続を済ませた利用者（会員）は、プレイヤ登録手続を実施する。
【００７１】
〔プレイヤ登録手続〕
次に、図８を参照して、エントランス室31において実施されるプレイヤ登録手続について説明する。プレイヤ登録手続では、データベース202のプレイヤ管理テーブルD200（図５）および集計結果管理テーブルD400（図７）が更新される。また、エントランス室31に設置されたプレイヤ登録端末301には、カードリーダ301aと、送受信機301bとが設けられている。プレイヤ登録手続を実施しようとしている会員（会員登録手続を済ませている利用者）は、自身に配布された会員証100と、自身に割り当てられた装備品セット10（より具体的には、コントロールボックス13）を所持している。例えば、装備品セット10は、サバイバルゲーム施設300から会員に貸し与えられている。
【００７２】
サバイバルゲーム施設300の会員（会員登録手続を済ませている利用者）は、自身が所持している会員証100に記憶された会員ＩＤを、プレイヤ登録端末301のカードリーダ301aに読み取らせるとともに、自身が所持しているコントロールボックス13の格納部101に格納されている装備ＩＤ（装備品セット10に割り当てられた装備ＩＤ）をプレイヤ登録端末301の送受信機301bに読み取らせる。送受信機301bによる読み取り動作は、次のようにして実行される。まず、送受信機301bは、プレイヤ登録手続を実施している会員が所持しているコントロールボックス13の送信部106に対して装備ＩＤの送信を要求する。次に、送信部106は、送受信機301bからの要求に応答して、格納部101に格納されている装備ＩＤを送信し、送受信機301bは、送信部106からの装備ＩＤを受信する。このようにして、装備ＩＤが読み取られる。なお、送信部106と送受信機306bとの間の通信（送信要求および装備ＩＤの送信）は、無線通信によって実施されても良いし、有線通信（例えば、ＵＳＢケーブル）によって実施されても良い。
【００７３】
〈プレイヤ管理テーブルの更新〉
サーバ201は、データベース202の会員管理テーブルD100（図４）の中からプレイヤ登録端末301によって取得された会員ＩＤに対応付けられた表示名を検出する。そして、サーバ201は、プレイヤ登録端末301によって取得された会員ＩＤおよび装備ＩＤと、会員管理テーブルD100の中から検出された表示名と、初期値（ゼロ）に設定されたチーム戦績情報（小計）とを対応付けて、プレイヤ管理テーブルD200に登録する。
【００７４】
〈集計結果管理テーブルの更新〉
また、サーバ201は、プレイヤ登録端末301によって取得された会員ＩＤと、初期値（ゼロ）に設定された被撃ＩＤ，個人戦績情報（小計），被撃情報，および撃破情報とを対応付けて、集計結果管理テーブルD400に登録する。なお、これらの被撃情報および撃破情報には、集計結果管理テーブルD400において既に登録されている別の会員ＩＤ（プレイヤ登録端末301によって取得された会員ＩＤとは異なる会員ＩＤ）と初期値（ゼロ）に設定された回数とが対応付けて登録されている。さらに、サーバ201は、集計結果管理テーブルD400に既に登録されている別の会員ＩＤに対応付けられている被撃情報および撃破情報に、プレイヤ登録端末301によって取得された会員ＩＤと初期値（ゼロ）に設定された回数とを対応付けて登録する。
【００７５】
〈集計結果管理テーブルの更新の具体例〉
例えば、「0001」「0002」「0003」「0004」を示す会員ＩＤに関する情報（会員ＩＤ，被撃ＩＤ，個人戦績情報（小計），被撃情報，撃破情報）が集計結果管理テーブルD400に既に登録されている場合に、プレイヤ登録端末301によって「0007」を示す会員ＩＤが取得されると、サーバ201は、「0007」を示す会員ＩＤに関する情報（会員ＩＤ，被撃ＩＤ，個人戦績情報（小計），被撃情報，撃破情報）を集計結果管理テーブルD400に登録するとともに、「0007」を示す会員ＩＤに対応付けられている被撃情報および撃破情報に「0001」「0002」「0003」「0004」を示す会員ＩＤと初期値（ゼロ）に設定された回数とを対応付けて登録する。また、サーバ201は、「0001」「0002」「0003」「0004」を示す会員ＩＤに対応付けられている被撃情報および撃破情報に「0007」を示す会員ＩＤと初期値（ゼロ）に設定された回数とを対応付けて登録する。
【００７６】
このようにして、プレイヤ登録手続を実施している会員の情報（会員ＩＤ，装備ＩＤ，表示名，およびチーム戦績情報（小計））がプレイヤ管理テーブルD200に登録されるとともに、プレイヤ登録手続を実施している会員の情報（会員ＩＤ，被撃ＩＤ，個人戦績情報（小計），被撃情報，および撃破情報）が集計結果管理テーブルD400に登録されることにより、サバイバルゲーム施設300の会員がプレイヤPとして登録され、プレイヤ登録手続が完了する。プレイヤ登録手続を済ませた会員（プレイヤP）は、装備品セット10を所持したまま、ラウンジ室32に入室する。
【００７７】
〔エントリ登録手続〕
次に、図９を参照して、ラウンジ室32において実施されるエントリ登録手続について説明する。エントリ登録手続では、データベース202のエントリ管理テーブルD300（図６）が更新される。また、ラウンジ室32に設置されているエントリ登録端末302には、カードリーダ302aと、ディスプレイ302cとが設けられている。エントリ登録手続を実施しようとしているプレイヤP（プレイヤ登録手続を済ませている会員）は、自身に配布された会員証100を所持している。
【００７８】
次回のサバイバルゲームへの参戦を希望するプレイヤP（プレイヤ登録手続を済ませている会員）は、自身が所持している会員証100に記憶された会員ＩＤを、エントリ登録端末302のカードリーダ302aに読み取らせる。
【００７９】
〈エントリ管理テーブルの更新〉
サーバ201は、エントリ登録端末302によって取得された会員ＩＤにチーム名を割り当てる。また、サーバ201は、データベース202のプレイヤ管理テーブルD200（図５）の中からエントリ登録端末302によって取得された会員ＩＤに対応付けられている装備ＩＤおよび表示名を検出する。そして、サーバ201は、エントリ登録端末302によって取得された会員ＩＤと、プレイヤ管理テーブルD200の中から検出された装備ＩＤおよび表示名と、その会員ＩＤに割り当てられたチーム名と、初期値（ＡＬＩＶＥ）に設定された生存情報とを対応付けて、エントリ管理テーブルD300に登録する。
【００８０】
このようにして、エントリ登録手続を実施しているプレイヤPの情報（会員ＩＤ，装備ＩＤ，表示名，チーム名，および生存情報）がエントリ管理テーブルD300に登録されることにより、プレイヤPによる次回のサバイバルゲームへの参戦の申し込みが受け付けられ、エントリ登録手続が完了する。
【００８１】
〈エントリ結果画像および参戦状況画像の表示〉
次に、サーバ201は、エントリ管理テーブルD300を参照して、エントリ登録手続を済ませたプレイヤP（エントリ登録端末302を操作しているプレイヤP）の表示名およびチーム名が示されている画像（エントリ結果画像）を、エントリ登録端末302のディスプレイ302cに表示させる。さらに、サーバ201は、エントリ管理テーブルD300を参照して、エントリ登録手続を済ませた全プレイヤP,P,…（エントリ管理テーブルD300に登録されている全プレイヤP,P,…）の「表示名」および「生存情報」がチーム別に示されている画像（参戦状況画像）を、ラウンジ室32に設置されたディスプレイ303に表示させる。なお、図９では、図６に示されたエントリ管理テーブルD300に基づいて参戦状況画像をディスプレイ303に表示させる場合を例に挙げている。
【００８２】
エントリ登録手続を済ませたプレイヤPは、エントリ登録端末302のディスプレイ302cに表示されたエントリ結果画像（または、ディスプレイ303に表示された参戦状況画像）を見て、自身が所属しているチームを確認した後に、自身に割り当てられた装備品セット10を装備して連絡通路室33に入室する。なお、プレイヤPが連絡通路室33に入室する前に、所属チームを判別することが可能な目印（例えば、プレイヤPの腕に装着可能なカラーバンド）をプレイヤPに配布して装着させても良い。
【００８３】
〈プレイヤ登録手続の受付締切〉
次に、サーバ201は、次回のサバイバルゲームに関するエントリ登録手続を済ませたプレイヤPの人数が予め設定された人数に到達すると（または、予め設定されたエントリ登録手続の受付時間が終了すると）、次回のサバイバルゲームに関するエントリ登録手続の受付が締め切られたことを通知するための音声を、ラウンジ室32に設置されたスピーカ304に放送させる。また、サーバ201は、エントリ登録手続を済ませたプレイヤPに連絡通路室33の移動を促すための音声を、スピーカ304に放送させる。
【００８４】
〔プレイヤ確認手続〕
次に、図１０を参照して、連絡通路室33において実施されるプレイヤ確認手続について説明する。プレイヤ確認手続では、データベース202のエントリ管理テーブルD300（図６）が利用される。また、連絡通路室33に設置されているプレイヤ確認端末306には、送受信機306bと、ディスプレイ306cとが設けられている。連絡通路室33に入室するプレイヤPは、自身に割り当てられた装備品セット10を装備している。
【００８５】
連絡通路室33に入室したプレイヤPは、フィールド室34に入室する前に、自身が装備している装備品セット10の装備ＩＤを、プレイヤ確認端末306の送受信機306bに読み取らせる。送受信機306bによる読み取り動作は、プレイヤ登録端末301の送受信機301bによる読み取り動作と同様である。
【００８６】
〈フィールド室への入室の可否に関する判定〉
サーバ201は、プレイヤ確認端末306によって取得された装備ＩＤがエントリ管理テーブルD300に登録されているか否かを判定する。プレイヤ確認端末306によって取得された装備ＩＤがエントリ管理テーブルD300に登録されている場合、サーバ201は、フィールド室34への入室が許可されていることを示した画像（例えば、「ＯＫ」という文字）を、プレイヤ確認端末306のディスプレイ306cに表示させる。プレイヤPは、プレイヤ確認端末306のディスプレイ306cに表示された画像を見て、フィールド室34への入室が許可されていることを確認して、連絡通路室33からフィールド室34へ移動する。一方、プレイヤ確認端末306によって取得された装備ＩＤがエントリ管理テーブルD300に登録されていない場合、サーバ201は、フィールド室34への入室が許可されていないことを示した画像（例えば、「ＮＧ」という文字）を、プレイヤ確認端末306のディスプレイ306cに表示させる。プレイヤPは、プレイヤ確認端末306のディスプレイ306cに表示された画像を見て、フィールド室34への入室が許可されていないことを確認して、連絡通路室33からラウンジ室32に戻る。
【００８７】
このようにして、連絡通路室33に入室したプレイヤP（プレイヤ確認端末306を操作しているプレイヤP）についてフィールド室34への入室が許可されているか否かが判定されて、プレイヤ確認手続が完了する。
【００８８】
〈サバイバルゲームの開始アナウンス〉
次に、サーバ201は、エントリ管理テーブルD300に登録されている全ての装備ＩＤがプレイヤ確認端末306によって取得されたと判定すると（すなわち、次回のサバイバルゲームに参戦することになる全プレイヤP,P,…についてプレイヤ確認手続が完了すると）、サバイバルゲームの開始を通知するための音声を、フィールド室34に設置されたスピーカ308に放送させる。
【００８９】
〔サバイバルゲームの実施〕
次に、図１１を参照して、フィールド室34において実施されるサバイバルゲームについて説明する。サバイバルゲームの運営（例えば、プレイヤPの被弾の有無の判定や、サバイバルゲームにおける勝敗の管理など）を支援するために、エントリ管理テーブル（図６）が利用される。
【００９０】
なお、ここでは、プレイヤP1がプレイヤP3を撃破する場合を例に挙げて説明する。また、プレイヤP1,P3には、「0001」「0003」を示す会員ＩＤがそれぞれ割り当てられ、プレイヤP1,P3に装備されている装備品セット10,10には、「0001」「0003」を示す装備ＩＤがそれぞれ割り当てられているものとする。
【００９１】
〈装備品セットにおける被弾判定〉
サバイバルゲームの開始後、プレイヤP1の発射部102から発射された光線LがプレイヤP3の受光部103に命中すると、プレイヤP3のゴーグル12の発光部105aは、プレイヤP3が被弾したことを通知するための光を出力し、プレイヤP3のコントロールボックス13の発音部105bは、プレイヤP3が被弾したことを通知するための音を出力する。これにより、プレイヤP3およびプレイヤP3の周囲のプレイヤP（例えば、プレイヤP1）は、プレイヤP3が被弾したことを認識することができる。そして、プレイヤP3は、自身が被弾して失格となったことを認識してフィールド室34から退室する。
【００９２】
〈管理装置における被弾判定〉
また、プレイヤP1の発射部102から発射された光線LがプレイヤP3の受光部103に命中すると、プレイヤP3のコントロールボックス13の送信部106は、「0003」を示す装備ＩＤ（すなわち、プレイヤP3の装備品セット10に割り当てられた装備ＩＤ）を受信機307に送信する。サーバ201は、エントリ管理テーブルD300に登録されている装備ＩＤのうち受信機307によって受信された装備ＩＤに対応付けられている生存情報を「ＡＬＩＶＥ」から「ＤＥＡＤ」に変更する。さらに、サーバ201は、エントリ管理テーブルD300の更新に伴い、ラウンジ室32に設定されたディスプレイ303に表示されている参戦状況画像のうちプレイヤP3の表示名に対応付けられた生存情報を「ＡＬＩＶＥ」から「ＤＥＡＤ」に変更する。このように、サーバ201は、受信機307によって受信された装備ＩＤと、エントリ管理テーブルD300（プレイヤPとプレイヤPに装備されている装備品セット10に割り当てられた装備ＩＤとの対応関係を示した管理テーブル）とに基づいて、プレイヤPの被弾の有無を判定している。
【００９３】
〈受信ＩＤの格納（履歴）〉
また、プレイヤP1の発射部102から発射された光線LがプレイヤP3の受光部103に命中すると、プレイヤP3のコントロールボックス13の検出部104は、プレイヤP3の受光部103に命中した光線L（プレイヤP1の発射部102から発射された光線L）から、「0001」を示す装備ＩＤ（すなわち、プレイヤP1の装備品セット10に割り当てられた装備ＩＤ）を検出する。そして、プレイヤP3のコントロールボックス13の格納部101は、検出部104によって検出された装備ＩＤ（「0001」を示す装備ＩＤ）を受信ＩＤとして格納する。
【００９４】
〔サバイバルゲームの終了〕
次に、フィールド室34において実施されるサバイバルゲームの終了について説明する。サバイバルゲームの終了の際には、データベース202の会員管理テーブルD100（図４），プレイヤ管理テーブルD200（図５），およびエントリ管理テーブルD300（図６）が更新される。
【００９５】
〈サバイバルゲームの終了アナウンス〉
サーバ201は、サバイバルゲームに参戦している複数のチームのうち１つのチームを残して他のチームが「全滅」となると（または、予め設定されたサバイバルゲームの制限時間が終了すると）、サバイバルゲームの終了を通知するための音声を、フィールド室34に設定されたスピーカ308に放送させる。フィールド室34に残っているプレイヤPは、スピーカ308からの音声を聞いて、フィールド室34から退室する。
【００９６】
〈会員管理テーブルの更新〉
また、サーバ201は、エントリ管理テーブルD300の中から「ＡＬＩＶＥ」を示す生存情報に対応付けられている会員ＩＤ（以下、勝利者ＩＤと表記）を検出し、「ＤＥＡＤ」を示す生存情報に対応付けられている会員ＩＤ（以下、敗北者ＩＤと表記）を検出する。次に、サーバ201は、会員管理テーブルD100において勝利者ＩＤに対応付けられている「参戦数（累計）」および「勝利数（累計）」に１を加算し、敗北者ＩＤに対応付けられている「参戦数（累計）」および「敗北数（累計）」に１を加算する。そして、サーバ201は、更新後の参戦数（累計）および勝利数（累計）に基づいて、会員管理テーブルD100の「勝率（累計）」を更新する。
【００９７】
〈プレイヤ管理テーブルの更新〉
また、サーバ201は、プレイヤ管理テーブルD200において勝利者ＩＤに対応付けられている「参戦数（小計）」および「勝利数（小計）」に１を加算し、敗北者ＩＤに対応付けられている「参戦数（小計）」および「敗北数（小計）」に１を加算する。そして、サーバ201は、更新後の参戦数（小計）および勝利数（小計）に基づいて、プレイヤ管理テーブルD200の「勝率（小計）」を更新する。
【００９８】
〈エントリ管理テーブルの更新〉
次に、サーバ201は、会員管理テーブルD100およびプレイヤ管理テーブルD200の更新が完了すると、データベース202のエントリ管理テーブルD300を初期値にリセットして、次回のサバイバルゲームに関するエントリ登録手続の準備をする。
【００９９】
〔戦績集計手続〕
次に、図９を参照して、ラウンジ室32において実施される戦績集計手続について説明する。戦績集計手続では、データベース202の会員管理テーブルD100（図４）および集計結果管理テーブルD400（図７）が更新される。また、ラウンジ室32に設置されている戦績処理端末305には、カードリーダ305aと、送受信機305bと、ディスプレイ305cとが設けられている。戦績集計手続を実施しようとしているプレイヤP（サバイバルゲームに参戦したことがあるプレイヤP）は、自身に割り当てられた装備品セット10（より具体的には、コントロールボックス13）を所持している。
【０１００】
戦績を集計しようするプレイヤP1（サバイバルゲームに参戦したことがあるプレイヤP）は、自身が所持しているコントロールボックス13の格納部101に格納されている装備ＩＤおよび受信ＩＤを、戦績処理端末305の送受信機305bに読み取らせる。送受信機305bによる読み取り動作は、プレイヤ登録端末301の送受信機301bによる読み取り動作と同様である。また、送信部106は、格納部101に格納されている装備ＩＤと受信ＩＤとを対応付けて送受信機302bに送信すると、格納部101に格納されている受信ＩＤを消去する。
【０１０１】
〈会員管理テーブルの更新〉
サーバ201は、データベース202のプレイヤ管理テーブルD200の中から、戦績処理端末305によって取得された装備ＩＤに対応付けられている会員ＩＤ（以下、操作者ＩＤと表記）を検出し、戦績処理端末305によって取得された受信ＩＤ（すなわち、別のプレイヤPの装備品セット10に割り当てられた別の装備ＩＤ）に対応付けられている会員ＩＤ（以下、対戦者ＩＤ）を検出する。
【０１０２】
次に、サーバ201は、会員管理テーブルD100において対戦者ＩＤに対応付けられている「撃破数（累計）」に、その対戦者ＩＤの個数（すなわち、その受信ＩＤの個数）を加算する。そして、サーバ201は、更新後の撃破数（累計）に基づいて、会員管理テーブルD100の「順位（累計）」を更新する。
【０１０３】
〈集計結果管理テーブルの更新〉
また、サーバ201は、集計結果管理テーブルD400の中から操作者ＩＤに対応付けられている「被撃情報」を検出し、その被撃情報において対戦者ＩＤに対応付けられている回数に、その対戦者ＩＤの個数（すなわち、受信ＩＤの個数）を加算する。さらに、サーバ201は、集計結果管理テーブルD400のにおいて操作者ＩＤに対応付けられている「被撃ＩＤ」を、対戦者ＩＤのうち最新の対戦者ＩＤ（すなわち、受信ＩＤのうち最新の受信ＩＤに対応付けられた会員ＩＤ）に書き換える。
【０１０４】
また、サーバ201は、集計結果管理テーブルD400の中から対戦者ＩＤに対応付けられている「撃破情報」を検出し、その撃破情報において操作者ＩＤに対応付けられている回数に、その対戦者ＩＤの個数（すなわち、受信ＩＤの個数）を加算する。
【０１０５】
さらに、サーバ201は、集計結果管理テーブルD400において対戦者ＩＤに対応付けられている「撃破数（小計）」に、その対戦者ＩＤの個数（すなわち、その受信ＩＤの個数）を加算する。そして、サーバ201は、更新後の撃破数（小計）に基づいて、集計結果管理テーブルD400の「順位（小計）」を更新する。
【０１０６】
〈会員管理テーブルおよび集計結果管理テーブルの更新の具体例〉
ここで、会員管理テーブルD100および集計結果管理テーブルD400の更新について、プレイヤP3が、１５回のサバイバルゲームに参戦して、プレイヤP1に１０回撃破され、プレイヤP2に５回撃破されている場合を例に挙げて、具体的に説明する。なお、プレイヤP1,P2,P3には、「0001」「0002」「0003」を示す会員ＩＤがそれぞれ割り当てられ、プレイヤP1,P2,P3の装備品セット10,10,10には、「0001」「0002」「0003」を示す装備ＩＤがそれぞれ割り当てられているものとする。この場合、プレイヤP3のコントロールボックス13の格納部101には、「0003」を示す装備ＩＤが「装備ＩＤ」として格納され、「0001」を示す１０個の装備ＩＤおよび「0002」を示す５個の装備ＩＤが「受信ＩＤ」として格納されていることになる。
【０１０７】
《会員管理テーブルの更新の具体例》
サーバ201は、プレイヤ管理テーブルD200の中から、「0003」を示す装備ＩＤに対応付けられている「0003」を示す会員ＩＤ（操作者ＩＤ）を検出し、「0001」を示す受信ＩＤに対応付けられている「0001」を示す会員ＩＤ（対戦者ＩＤ）を検出し、「0002」を示す受信ＩＤ（もう１つの受信ＩＤ）に対応付けられている「0002」を示す会員ＩＤ（もう１つの対戦者ＩＤ）を検出する。
【０１０８】
次に、サーバ201は、会員管理テーブルD100において「0001」を示す会員ＩＤ（対戦者ＩＤ）に対応付けられている「撃破数（累計）」に「10」（対戦者ＩＤの個数、すなわち、「0001」を示す受信ＩＤの個数）を加算し、「0002」を示す会員ＩＤ（もう１つの対戦者ＩＤ）に対応付けられている「撃破数（累計）」に「5」（もう１つの対戦者ＩＤの個数、すなわち、「0002」を示す受信ＩＤの個数）を加算する。
【０１０９】
《集計結果管理テーブルの更新の具体例》
また、サーバ201は、集計結果管理テーブルD400の中から「0003」を示す会員ＩＤ（操作者ＩＤ）に対応付けられている「被撃情報」を検出し、その被撃情報において「0001」を示す会員ＩＤ（対戦者ＩＤ）に対応付けられている回数に「10」を加算するとともに、「0002」を示す会員ＩＤ（もう１つの対戦者ＩＤ）に対応付けられている回数に「5」を加算する。
【０１１０】
また、サーバ201は、集計結果管理テーブルD400の中から「0001」を示す会員ＩＤ（対戦者ＩＤ）に対応付けられている「撃破情報」を検出し、その撃破情報において「0003」を示す会員ＩＤ（操作者ＩＤ）に対応付けられている回数に「10」を加算する。また、サーバ201は、集計結果管理テーブルD400の中から「0002」を示す会員ＩＤ（もう１つの対戦者ＩＤ）に対応付けられている「撃破情報」を検出し、その撃破情報において「0003」を示す会員ＩＤ（操作者ＩＤ）に対応付けられている回数に「5」を加算する。
【０１１１】
さらに、サーバ201は、集計結果管理テーブルD400において「0001」を示す会員ＩＤ（対戦者ＩＤ）に対応付けられている「撃破数（小計）」に「10」を加算し、「0002」を示す会員ＩＤ（もう１つの対戦者ＩＤ）に対応付けられている「撃破数（小計）」に「5」を加算する。
【０１１２】
このようにして、戦績集積手続を実施しているプレイヤPの情報（格納部101に格納されている装備ＩＤおよび受信ＩＤ）に基づいて会員管理テーブルD100および集計結果管理テーブルD400が更新されることにより、戦績集計手続が完了する。
【０１１３】
〔戦績確認手続〕
次に、図９を参照して、ラウンジ室32において実施される戦績確認手続について説明する。戦績確認手続では、データベース202の会員管理テーブルD100（図４），プレイヤ管理テーブルD200（図５），および集計結果管理テーブルD400（図７）が利用される。また、戦績確認手続を実施しようとしているプレイヤP（戦績集計手続を済ませている会員）は、自身に配布された会員証100を所持している。
【０１１４】
まず、戦績を確認しようとするプレイヤP（戦績集計手続を済ませている会員）は、自身が所持している会員証100に記憶された会員ＩＤを、戦績処理端末305のカードリーダ305aに読み取らせる。
【０１１５】
〈戦績結果画像の表示〉
サーバ201は、会員管理テーブルD100の中から戦績処理端末305によって取得された会員ＩＤ（以下、操作者ＩＤと表記）に対応付けられている戦績情報（累計）を検出する。また、サーバ201は、プレイヤ管理テーブルD200の中から操作者ＩＤに対応付けられているチーム戦績情報（小計）を検出し、集計結果管理テーブルD400の中から操作者ＩＤに対応付けられている被撃ＩＤおよび個人戦績情報（小計）を検出する。また、サーバ201は、プレイヤ管理テーブルD200の中から、操作者ＩＤに対応付けられている表示名（以下、操作者名と表記）を検出し、被撃ＩＤ（集計結果管理テーブルD400の中から検出された被撃ＩＤ）に対応付けられている表示名（以下、撃破者名と表記）を検出する。そして、サーバ201は、これらの戦績情報（累計），チーム戦績情報（小計），個人戦績情報（小計），および表示名（操作者名および撃破者名）を示した画像（戦績表示画像）を、戦績処理端末305のディスプレイ305cに表示させる。戦績処理端末305を操作しているプレイヤPは、戦績処理端末305のディスプレイ305cに表示された戦績結果画像を見て、自身の戦績を確認することができる。
【０１１６】
〈戦績結果画像の表示の具体例〉
ここで、図１２を参照して、戦績処理端末305のディスプレイ305cに表示される戦績結果画面について具体的に説明する。図１２では、「0003」を示す会員ＩＤが割り当てられたプレイヤP（会員）によって戦績確認手続が実施され、図４に示した会員管理テーブルD100，図５に示したプレイヤ管理テーブルD200，および図７に示した集計結果管理テーブルD400に基づいて、「0003」を示す会員ＩＤが割り当てられたプレイヤP（会員）に関する戦績結果画像を表示する場合を例に挙げている。
【０１１７】
図１２のように、ディスプレイ305cには、戦績処理端末305を操作しているプレイヤPの「勝敗数（参戦数，勝利数，および敗北数を１つに纏めて示したもの）」，「勝率」，「撃破数」，および「順位」が「小計」と「累計」とに別々に分けて表示されるとともに、操作者名と撃破者名とが対応付けられて表示されている。なお、ここでは、プレイヤ管理テーブルD200に登録されている会員ＩＤの個数が「5」である（すなわち、サバイバルゲーム施設300においてプレイヤPとして登録されている会員の人数が「5」である）ので、順位（小計）は、「４位（５人中）」と表示されている。また、会員管理テーブルD100に登録されている会員ＩＤの個数が「7」である（すなわち、サバイバルゲーム施設300において会員として登録されている利用者の人数が「7」である）ので、順位（累計）は、「５位（７人中）」と表示されている。
【０１１８】
このようにして、戦績確認手続を実施しているプレイヤP（会員）に関する戦績結果画像が表示されることにより、戦績確認手続が完了する。
【０１１９】
〔プレイヤ解除手続〕
次に、図８を参照して、エントランス室31において実施されるプレイヤ解除手続について説明する。プレイヤ解除手続では、データベース202のプレイヤ管理テーブルD200および集計結果管理テーブルD400が更新される。また、プレイヤ解除手続を実施しようとしているプレイヤP（プレイヤ登録手続を済ませている会員）は、自身に配布された会員証100を所持している。
【０１２０】
プレイヤ登録を解除しようとするプレイヤP（プレイヤ登録手続を済ませている会員）は、自身が所持している会員証100に記憶された会員ＩＤを、プレイヤ登録端末301のカードリーダ301aに読み取らせる。
【０１２１】
〈プレイヤ管理テーブルの更新〉
サーバ201は、プレイヤ管理テーブルD200の中からプレイヤ登録端末301によって取得された会員ＩＤ（以下、操作者ＩＤと表記）と操作者ＩＤに対応付けられている情報（装備ＩＤ，表示名，およびチーム戦績情報（小計））とを削除する。
【０１２２】
〈集計結果管理テーブルの更新〉
また、サーバ201は、集計結果管理テーブルD400の中から操作者ＩＤと操作者ＩＤに対応付けられている情報（被撃ＩＤ，個人戦績情報（小計），被撃情報，および撃破情報）を削除する。
【０１２３】
このようにして、プレイヤ管理テーブルD200および集計結果管理テーブルD400からプレイヤ解除手続を実施しているプレイヤP（会員）の情報を削除することにより、プレイヤP（会員）のプレイヤ登録が解除され、プレイヤ解除手続が完了する。プレイヤ解除手続を済ませた会員は、装備品セット10をサバイバルゲーム施設300に返却し、サバイバルゲーム施設300から退店する。
【０１２４】
〔効果〕
以上のように、サバイバルゲームに参戦しているプレイヤP,P,…は、銃弾の代わりに光線Lを撃ち合うことになる。したがって、銃弾を発射する玩具銃（エアガン）を使用してサバイバルゲームが実施される場合よりも、サバイバルゲームの安全性を向上させることができる。
【０１２５】
また、プレイヤPに装備されている受光部103に別のプレイヤPに装備されている別の発射部102からの光線Lが命中すると、光線Lが命中したプレイヤP（被弾プレイヤ）に装備されている発光部105aおよび発音部105b（通知部105）から、被弾を通知するための光および音が出力される。これにより、被弾プレイヤ自身および被弾プレイヤの周囲のプレイヤPに、被弾プレイヤが被弾したことを通知することができる。このように、銃弾を発射しない玩具銃11が使用されるサバイバルゲームにおいて、プレイヤPの被弾の有無を判定することができる。
【０１２６】
また、プレイヤPに装備されている受光部103に別のプレイヤPに装備されている別の発射部102からの光線Lが命中すると、被弾プレイヤに装備されている送信部106から、装備ＩＤ（被弾プレイヤに装備されている装備品セット10に割り当てられた装備ＩＤ）が送信される。また、管理装置20は、エントリ管理テーブルD300（プレイヤPとプレイヤPに装備されている装備品セット10の装備ＩＤとの対応関係を示した管理テーブル）を有している。したがって、管理装置20は、送信部106からの装備ＩＤとエントリ管理テーブルD300とに基づいて、各プレイヤの被弾の有無を判定することができる。このように、管理装置20によって各プレイヤの被弾の有無を判定することにより、サバイバルゲームの対戦成績（例えば、サバイバルゲームにおける各プレイヤの勝敗）を管理することができる。これにより、サバイバルゲームの競技性を向上させることができる。
【０１２７】
また、プレイヤPに装備されている受光部103に別のプレイヤPに装備されている発射部102からの光線Lが命中すると、検出部104は、受光部103に命中した光線L（別の発射部102からの光線L）から、別のプレイヤPに装備されている別の装備品セット10に割り当てられた別の装備ＩＤを検出し、格納部101は、検出部104によって検出された別の装備ＩＤを受信ＩＤとして格納する。これにより、被弾プレイヤがどのプレイヤに撃破されたのかを示した履歴を残すことができるので、サバイバルゲームの競技性をさらに向上させることができる。
【０１２８】
さらに、送信部106は、外部からの要求に応答して、格納部101に格納されている装備ＩＤおよび受信ＩＤを送信する。また、管理装置20は、プレイヤ管理テーブルD200（プレイヤPとプレイヤPに装備されている装備品セット10の装備ＩＤとの対応関係を示した管理テーブル）を有している。したがって、管理装置20は、送信部106からの装備ＩＤおよび受信ＩＤと、プレイヤ管理テーブルD200とに基づいて、会員管理テーブルD100および集計結果管理テーブルD400を更新することができる。すなわち、管理装置20は、プレイヤPを撃破した別のプレイヤPを示した被撃情報（より具体的には、集計結果管理テーブルD400の被撃ＩＤおよび被撃情報），プレイヤPが撃破した別のプレイヤPを示した撃破情報（より具体的には、集計結果管理テーブルD400の撃破情報），およびプレイヤPが撃破した別のプレイヤPの人数を示した撃破数情報（より具体的には、集計結果管理テーブルD400の撃破数（小計）および会員管理テーブルD100の撃破数（累計））を管理することができる。このように、管理装置20によって被撃情報，撃破情報，および撃破数情報を管理することにより、サバイバルゲームの競技性をさらに向上させることができる。
【０１２９】
〔通知部の変形例〕
なお、通知部105は、被弾を通知するための光および音のいずれか一方のみを出力するように構成されていても良い。より具体的には、装備品セット10は、発光部105aおよび発音部105bのいずれか一方を含んでいなくても良い。このように構成した場合も、被弾プレイヤが被弾したことを通知することができるので、プレイヤPの被弾の有無を判定することができる。
【０１３０】
〔送信部の変形例〕
また、送信部106は、検出部104によって受光部103による受光が検出された場合に、格納部101に格納されている装備ＩＤおよび受信ＩＤを送信するように構成されていても良い。このように構成することにより、会員管理テーブルD100（より具体的には、会員管理テーブルD100の個人戦績情報（累計））および集計結果管理テーブルD400（より具体的には、集計結果管理テーブルD400の被撃ＩＤおよび個人戦績情報（小計））の更新を迅速に実施することができる。
【０１３１】
〔管理装置の変形例〕
なお、データベース202に格納されている会員管理テーブルD100，プレイヤ管理テーブルD200，エントリ管理テーブルD300，および集計結果管理テーブルD400を１つの管理テーブルに集約しても良いし、各種テーブルを細分化しても良い。また、管理装置20は、送信部106からの装備ＩＤおよび受信ＩＤと、プレイヤ管理テーブルD200（プレイヤPとプレイヤPに装備されている装備品セット10の装備ＩＤとの対応関係を示した管理テーブル）とに基づいて、上記の被撃情報，撃破情報，および撃破数情報のうち少なくとも１つを管理するように構成されていても良い。
【０１３２】
（玩具銃および発射部の詳細）
次に、図１３ａ〜図１３ｃを参照して、玩具銃11および発射部102について詳しく説明する。図１３ａは、機械的動作（火薬を発火させるための動作）が実行される前の玩具銃11を示している。
【０１３３】
〔発射部の詳細〕
図１３ａのように、玩具銃11の銃身の先端部には、光線発射器110が取り付けられている。光線発射器110には、発射部102が内蔵されている。発射部102は、センサ111（第１の検知器）と、センサ112（第２の検知器）と、発信部113とを含んでいる。
【０１３４】
〈センサ（第１の検知器）〉
センサ111は、玩具銃11が機械的動作（火薬を発火させるための機械的動作）を実行したことを検知する。より具体的には、センサ111は、火薬を発火させるために玩具銃11の構成部品（ここでは、玩具銃11の遊底11c）が物理的に移動したことを検知するように構成されている。例えば、センサ111は、玩具銃11の構成部品の物理的な移動を検知して電気信号を出力するセンサ（衝撃センサ，圧力センサ，磁気センサ，光電センサ，機械的スイッチなど）などによって構成されている。
【０１３５】
〈センサ（第２検知器）〉
センサ112は、玩具銃11において発生した音を検知する。例えば、センサ112は、音波を電気信号に変換するセンサ（音感センサなど）などによって構成されている。
【０１３６】
〈発信部〉
発信部113は、センサ111によって玩具銃11による機械的動作（火薬を発火させるための機械的動作）の実行が検知され、且つ、センサ112によって検知された音が玩具銃11の発砲音（玩具銃11によって疑似的に再現された発砲音）であると判定した場合に、光線Lを発射する。より具体的には、発信部113は、センサ112によって検知された音の波形が予め設定された特定の波形（玩具銃11の発砲音であるとみなすことができる波形）である場合に、センサ112によって検知された音が玩具銃11の発砲音であると判定する。例えば、発信部113は、センサ112によって検知された音のピーク値が予め設定された閾値（例えば、玩具銃11の発砲音の最小ピーク値）よりも高い場合に、センサ112によって検知された音が玩具銃11の発砲音であると判定する。
【０１３７】
また、発信部113は、光線Lを発射する際に、格納部101に格納されている装備ＩＤに基づいて光線Lを変調するように構成されている。例えば、発信部113は、センサ111,112からの電気信号の処理するマイクロコンピュータや電気信号を光線Lに変換する発光器などによって構成されている。
【０１３８】
〔玩具銃による機械的動作〕
次に、図１３ｂおよび図１３ｃを参照して、玩具銃11による機械的動作について詳しく説明する。なお、玩具銃11の銃身内には、火薬が充填されたカートリッジが装填されている。
【０１３９】
図１３ｂのように、プレイヤPによって玩具銃11の引き金11aが引かれると、玩具銃11の撃鉄11bが移動して玩具銃11の銃身内に装填されたカートリッジに衝突する。撃鉄11bの衝突による圧力によってカートリッジ内に充填された火薬が発火して、実銃による発砲音が疑似的に発生する。
【０１４０】
また、図１３ｃのように、撃鉄11bの衝突による圧力によって玩具銃11の遊底11cが後退する。遊底11cの後退によって撃鉄11bが初期位置にセットされ、玩具銃11の銃身に装填されているカートリッジ（火薬を発火させたカートリッジ）を排出するとともに、玩具銃11の銃身に新たなカートリッジが装填される。
【０１４１】
〔発射部による発射処理〕
次に、図１４を参照して、図１３ａに示した発射部102による発射処理（光線Lの発射の要否を判定して光線Lを発射する処理）について説明する。
【０１４２】
発信部113は、センサ112によって検知された音が玩具銃11の発砲音であるか否か（すなわち、玩具銃11の発砲音が発生したか否か）を判定する（ST101）。玩具銃11の発砲音が発生したと判定された場合、発信部113は、玩具銃11の発砲音が発生したと判定された時点からの経過時間（以下、発砲音経過時間と表記）の計時を開始する（ST102）。次に、発信部113は、センサ111によって玩具銃11の遊底11cの移動が検知されたか否かを判定する（ST103）。遊底11cの移動が検知されていない場合、発信部113は、発砲音経過時間が予め設定された所定時間（例えば、10msec）に到達しているか否かを判定する（ST104）。
【０１４３】
発砲音経過時間が所定時間に到達する前に遊底11cの移動が検知されると、発信部113は、光線Lを発射する（ST105）。一方、遊底11cの移動が検知されずに発砲音経過時間が所定時間に到達すると、発信部113は、光線Lを発射しない（ST106）。
【０１４４】
〔効果〕
以上のように、センサ111による検知結果（玩具銃11による機械的動作に関する検知結果）およびセンサ112による検知結果（玩具銃11において発生した音に関する検知結果）の両方に基づいて、光線Lの発射の要否を判定することにより、光線Lの誤射の可能性を低減することができる。より具体的には、玩具銃11による機械的動作が実行されていないのにプレイヤPの周囲の発砲音（例えば、別のプレイヤPに装備されている玩具銃11の発砲音）が発生した場合に、プレイヤPの周囲の発砲音のみに反応して光線Lを誤って発射してしまうことを防止することができる。また、玩具銃11による機械的動作が実行されたが火薬が発火しなかった場合（例えば、カートリッジに充填された火薬が発火せずに不発となった場合や、玩具銃11の銃身にカートリッジが装填されていなかった場合）に、玩具銃11による機械的動作のみに反応して光線Lを誤って発射してしまうことを防止することができる。
【０１４５】
また、玩具銃11に取付可能に構成されている光線発射器110に発射部102を内蔵する（すなわち、発射部102が玩具銃11に取付可能に構成されている）ことにより、既存の玩具銃11を改造せずに玩具銃11による疑似的な発砲に連動して光線Lを発射させることができるので、光線Lを発射することができるように玩具銃11を製造する場合よりも、玩具銃11の製造コストを低減することができる。
【０１４６】
〔発射部による発射処理の変形例〕
なお、発射部102（より具体的には、センサ111）は、玩具銃11の遊底11cの移動の代わりに、玩具銃11の引き金11aが移動したことを検知すると、玩具銃11が火薬を発火させるための機械的動作を実行したと判定するように構成されていても良い。例えば、センサ111は、玩具銃11の引き金11aの移動を検知することができるように、玩具銃11（より具体的には、玩具銃11の引き金11aの周辺）に取り付けられていても良い。この場合、発射部102（より具体的には、発信部113）は、図１５のように動作するように構成されていても良い。
【０１４７】
すなわち、発信部113は、センサ111によって玩具銃11の引き金11aの移動が検知されたか否かを判定する（ST201）。引き金11aの移動が検知されると、発信部113は、引き金11aの移動が検知された時点からの経過時間（以下、移動経過時間と表記）の計時を開始する（ST102）。次に、発信部113は、センサ112によって検知された音が玩具銃11の発砲音であるか否か（すなわち、玩具銃11の発砲音が発生したか否か）を判定する（ST202）。玩具銃11の発砲音が発生したと判定されていない場合、発信部113は、移動経過時間が予め設定された所定時間（例えば、10msec）に到達しているか否かを判定する（ST104）。
【０１４８】
移動経過時間が所定時間に到達する前に玩具銃11の発砲音が発生したと判定されると、発信部113は、光線Lを発射する（ST105）。一方、玩具銃11の発砲音が発生したと判定されずに移動経過時間が所定時間に到達すると、発信部113は、光線Lを発射しない（ST106）。
【０１４９】
以上のように構成した場合も、センサ111,112の検知結果に基づいて光線Lの発射の要否を判定することにより、光線Lの誤射の可能性を低減することができる。
【０１５０】
〔発射部の変形例〕
図１６ａ〜図１６ｃのように、発射部102は、センサ112および発信部113が光線発射器110（玩具銃11に取付可能な光線発射器110）に内蔵されるとともに、センサ111が玩具銃11に取り付けられるように構成されていても良い。すなわち、センサ111は、玩具銃11の引き金11aの移動を検知することができるように、玩具銃11（より具体的には、センサ111を玩具銃11の引き金11aの周辺部）に取付可能に構成されていても良い。また、玩具銃11に取付可能に構成された発射部102の構成部品（センサ111）は、ケーブル110a（例えば、ケーブル14の一部）によって、光線発射器110に内蔵されている発射部102の構成部品（発信部113）に接続されていても良い。
【０１５１】
以上のように構成した場合も、発射部102が玩具銃11に取付可能に構成されていることになるので、玩具銃11の製造コストを低減することができる。なお、発射部102は、発信部113が光線発射器110に内蔵されるとともに、センサ111,112が玩具銃11に取り付けられるように構成されていても良い。すなわち、センサ111,112は、玩具銃11に取付可能に構成されていても良い。このように構成した場合も、発射部102が玩具銃11に取付可能に構成されていることになるので、玩具銃11の製造コストを低減することができる。
【０１５２】
また、発射部102は、センサ111,112の両方（または、いずれか一方）が玩具銃11に内蔵されるとともに、発信部113（または、センサ111,112のいずれか他方と発信部111）が光線発射器に内蔵されるように構成されていても良い。このように構成した場合も、発射部102の構成部品（センサ111,112および発信部113）の全部を玩具銃11に内蔵する場合よりも、玩具銃11の製造コストを低減することができる。
【０１５３】
なお、発射部102は、発射部102の構成部品（センサ111,112および発信部113）の全部を玩具銃11に内蔵するように構成されていても良い。また、発射部102は、センサ111による検知結果（玩具銃11による機械的動作に関する検知結果）およびセンサ112による検知結果（玩具銃11において発生した音に関する検知結果）のいずれか一方に基づいて、光線Lの発射の要否を判定するように構成されていても良い。
【０１５４】
（玩具銃の種類）
なお、玩具銃11は、図１６ａのようなリボルバータイプの玩具銃であっても良いし、図１６ｂのようなショットガンタイプの玩具銃であっても良いし、図１６ｃのようなライフルタイプの玩具銃であっても良い。
【０１５５】
（光線の照射範囲および照射距離）
また、発射部102から発射される光線Lの照射範囲および照射距離は、玩具銃11の種類に応じて設定されていても良い。より具体的には、発射部102から発射される光線Lの照射範囲および照射距離は、玩具銃11のモデルとなっている実銃の射程範囲および射程距離に対応するように設定されていても良い。例えば、図１３ａ（または、図１６ａ）のようなハンドガンタイプの玩具銃11については、照射範囲を「中範囲」に設定するとともに照射距離を「中距離」に設定し、図１６ｂのようなショットガンタイプの玩具銃11については、照射範囲を「広範囲（ハンドガンタイプよりも広い範囲）」に設定するとともに照射距離を「短距離（ハンドガンタイプよりも短い距離）」に設定し、図１６ｃのようなライフルタイプの玩具銃11については、照射範囲を「狭範囲（ハンドガンタイプよりも狭い範囲）」に設定するとともに照射距離を「長距離（ハンドガンタイプよりも長い距離）」に設定しても良い。
【０１５６】
以上のように設定することにより、玩具銃11の疑似的な発射性能（光線Lの照射範囲および照射距離）を実銃の発射性能（実銃の射程範囲および射程距離）に近づけることができるので、玩具銃11による実銃の再現性を向上させることができる。これにより、サバイバルゲームの再現性および競技性を向上させることができる。
【０１５７】
（火薬の発火によって発生する音の大きさ）
また、玩具銃11において火薬の発火によって発生する音の大きさは、玩具銃11の種類に応じて設定されていても良い。より具体的には、玩具銃11において火薬の発火によって発生する音の大きさは、玩具銃11のモデルとなっている実銃の発砲音の大きさに対応するように設定されていても良い。例えば、図１３ａ（または、図１６ａ）のようなハンドガンタイプの玩具銃11については、音の大きさを「小音量」に設定し、図１６ｂのようなショットガンタイプの玩具銃11については、音の大きさを「中音量（ハンドガンタイプよりも大きい音量）」に設定し、図１６ｃのようなライフルタイプの玩具銃11については、音の大きさを「大音量（ショットガンタイプよりも大きい音量）」に設定しても良い。
【０１５８】
以上のように設定することにより、玩具銃11による疑似的な発砲（発砲音や衝撃など）を実銃による発砲に近づけることができるので、玩具銃11による実銃の再現性を向上させることができる。これにより、サバイバルゲームの再現性および競技性を向上させることができる。
【０１５９】
なお、玩具銃11において火薬の発火によって発生する音の大きさは、玩具銃11の火薬量（より具体的には、カートリッジに充填される火薬の量）によって調整することが可能である。
【０１６０】
（その他の実施形態）
以上の実施形態の説明では、サバイバルゲームは、チーム戦で実施されても良いし、プレイヤP,P,…のチーム分けを行わずに個人戦で実施されても良い。
【０１６１】
なお、以上の実施形態は、本質的に好ましい例示であって、本発明、その適用物、あるいはその用途の範囲を制限することを意図するものではない。
【産業上の利用可能性】
【０１６２】
以上説明したように、上述のシステムおよび装備品セットは、銃弾を発射しない玩具銃を使用したサバイバルゲームにおいて、プレイヤの被弾の有無を判定することができるので、銃弾を発射しない玩具銃を使用したサバイバルゲームを提供しているサバイバルゲーム施設などに有用である。
【符号の説明】
【０１６３】
１０        装備品セット
１１        玩具銃
１２        ゴーグル
１３        コントロールボックス
１０１      格納部
１０２      発射部
１０３      受光部
１０４      検出部
１０５      通知部
１０５ａ    発光部
１０５ｂ    発音部
１０６      送信部
１１０      光線発射器
１１１      センサ（第１の検知器）
１１２      センサ（第２の検知器）
１１３      発信部
２０        管理装置
２０１      サーバ
２０２      データベース
Ｄ１００    会員管理テーブル
Ｄ２００    プレイヤ管理テーブル
Ｄ３００    エントリ管理テーブル
Ｄ４００    集計結果管理テーブル
【図１】
2013236765.tif 000003
【図２】
2013236765.tif 000004
【図３】
2013236765.tif 000005
【図４】
2013236765.tif 000006
【図５】
2013236765.tif 000007
【図６】
2013236765.tif 000008
【図７】
2013236765.tif 000009
【図８】
2013236765.tif 000010
【図９】
2013236765.tif 000011
【図１０】
2013236765.tif 000012
【図１１】
2013236765.tif 000013
【図１２】
2013236765.tif 000014
【図１３】
2013236765.tif 000015
【図１４】
2013236765.tif 000016
【図１５】
2013236765.tif 000017
【図１６】
2013236765.tif 000018